(57)【要約】服本体（１）と、外気取入立体部材（２）とからなり、外気取入立体部材（２）は、底面材（２ａ）と、着用時に開口部を常に開いた状態に保つ側壁材（２ｂ）と、開口部支持材（２ｃ）とからなる冷却服。服に立体部材を設けることにより、特に運動時に外気を服内部に大量に取り入れ、ひいては排風面に取り入れ、通風排気の効率を高める。
2017528615.tif 000002
【特許請求の範囲】
【請求項１】
服本体（１）と、外気取入立体部材（２）とからなり、前記外気取入立体部材（２）は、空気を受け服内に誘導する底面材（２ａ）と、着用時に開口部を開いた状態に保つ側壁材（２ｂ）と、開口部支持材（２ｃ）とからなることを特徴とする冷却服。
【請求項２】
前記外気取入立体部材（２）は、略三角形または略台形であり、底面材（２ａ）の幅は、開口部に方向に向かって徐々に広がっていることを特徴とする請求項１に記載の冷却服。
【請求項３】
前記外気取入立体部材（２）は、身体の左右両側の乳頭位胸囲線（４）と肩線（５）との間、または肩線（５）と肩甲骨下角水平線（６）との間に設けられていることを特徴とする請求項１に記載の冷却服。
【請求項４】
前記底面材（２ａ）の通気量が１００ｃｍ３／ｃｍ２／ｓ以下であることを特徴とする請求項１に記載の冷却服。
【請求項５】
前記開口部支持材（２ｃ）の剛軟度が５．０ｍＮ以上であることを特徴とする請求項１に記載の冷却服。
【請求項６】
ウォーキングウェア、ジョギングウェア、またはランニングウェアであり、前記側壁材（２ｂ）が乳頭位胸囲線（４）から肩線（５）を経て肩甲骨下角水平線（６）の箇所まで延在することを特徴とする請求項１〜５のいずれか一項に記載の冷却服。
【請求項７】
サイクルウェアまたはバイクウェアであり、前記側壁材（２ｂ）が肩線（５）から臀囲線（８）の箇所まで延在することを特徴とする請求項１〜５のいずれか一項に記載の冷却服。
【発明の詳細な説明】
【技術分野】
【０００１】
本発明は、衣類分野に関し、具体的には、外気を服内に取り入れて身体の特定部位を冷却する冷却服に関する。
【背景技術】
【０００２】
ヒトの体は、不感蒸泄および放熱を絶えず行っており、運動時にはさらに活発になる。運動時には、ヒトの体温が上昇し、身体機能が自動調節して正常な範囲に維持し、不感蒸泄および放熱が発汗として現れる。発汗の問題を解決するため、市販されているスポーツウェアの多くは、生地の通気性および吸汗速乾性の両方の面から考慮している。通気性は、快適さを実現する持久策として、機能が充分であり、運動時に人体で発生する熱が速やかに取り去られ、ヒトの体温が過度に上昇することがなければ、発汗が遅延され、ひいては発汗現象が発生しなくなり、本当の意味の着用の快適さを実現することができる。このとき、吸汗速乾性は、快適さを実現する補助手段とする。
【０００３】
生地の通気性に関して、市販されている多くの製品は、ヒトの体の正面または局所の通気性をすでに実現しており、具体的には、服の特定部位においてメッシュ（網目）素材、開口支持体の設計、またはその他の設計のスポーツウェアを採用する。こうした方法によって、一部の熱を排出することができるが、効果は非常に限られており、通常、受風面の通気性しか解決できず、排風面の通気問題を解決することはできず、これはまさに快適さに影響を及ぼす重要な要素である。特許文献ＣＮ１０２５７３５３８Ａにおいて、調整機構により操作でき、大量発汗時に通風開口部を開いて空気交換を行い、通風する、密封用の部材を有する通風開口部が、胸領域および／または背中に設けられている、開口部付きの衣類が開示されている。しかしながら、このような設計は、ヒトの体の受風面でのみ冷却効果を実現することができ、良好な空気流通経路を形成することができず、取り入れられる外気には限りがある。また、特許文献ＣＮ１０２１８８０５３Ａにおいて、通気服が開示されており、発汗後の通気設計部位（網状生地）が肌に密着する問題を解決するため、網状生地の縁に複数個の支持リングを設け、衣類布層と肌とが一定の距離を保ち、人体と対流空間を形成し、通気性を高め、特に風がある場合にヒトの体で発生する熱および湿気を順調に排出することができる。しかしながら、このような設計で取り入れられる外気も同様に限られているため、快適さの問題を根本的に解決することができない。
【発明の概要】
【発明が解決しようとする課題】
【０００４】
本発明は、特に運動時に外気を服内部に大量に取り入れ、ひいては排風面に取り入れ、通風排気の効率を高め、身体の特定部位を冷却し、冷却効果に優れた冷却服を提供することを目的とする。
【課題を解決するための手段】
【０００５】
本発明の技術的解決手法は次のとおりである。
【０００６】
本発明の冷却服は、服本体（１）と、外気取入立体部材（２）とからなり、外気取入立体部材（２）は、空気を受け服内に誘導する底面材（２ａ）と、着用時に開口部を常に開いた状態に保つ側壁材（２ｂ）と、開口部支持材（２ｃ）とからなる。
【発明の効果】
【０００７】
本発明は、負圧吸引の原理を用いて、立体開口設計である外気取入部材を服本体に設けることにより、負圧吸引の効果を実現し、空気の流入量を高めることができ、外気が部材に平行して流れるときに、空気誘導作用を有する底面材により、さらに大量の空気を服内部に流入させることができ、排風面を流れて、内部の熱を排出し、身体を冷却する目的を達成する。様々なタイプのスポーツウェアに対して、衣類の様々な位置に側壁材を配置することにより、対流空間を大きくし、吸引効果を強くし、通風排気の効率を高めることができる。
【図面の簡単な説明】
【０００８】
【図１】本発明の実施例１の冷却服の正面概略図であり、１は本体、２は外気取入立体部材である。
【図２】本発明の実施例１９の冷却服の背面概略図であり、１は本体、２は外気取入立体部材である。
【図３】本発明の外気取入立体部材の構造概略図であり、２ａは底面材、２ｂは側壁材、２ｃは支持材である。
【図４】本発明の略三角形概略図であり、３は略三角形の弧線の頂点から普通の三角形の二辺までの垂直距離である。
【図５】本発明のヒトの体の部位の正面概略図であり、４は乳頭位胸囲線、５は肩線である。
【図６】本発明のヒトの体の部位の背面概略図であり、５は肩線、６は肩甲骨下角水平線、７は腰囲線、８は臀囲線である。
【図７】本発明の冷却服の流路概略図であり、９は開口部の幅、１０は外気取入立体部材の長さ、１１は肩甲骨下角水平線の幅、１２は腰（腰囲線の箇所）の幅、１３は臀部（臀囲線の箇所）の幅である。
【図８】本発明の実施例４３の冷却服の正面概略図であり、１は本体、２は外気取入立体部材である。
【発明を実施するための形態】
【０００９】
本発明の冷却服は、服本体（１）と、外気取入立体部材（２）とからなり、外気取入立体部材（２）は、空気を受け服内に誘導する底面材（２ａ）と、着用時に開口部を常に開いた状態に保つ側壁材（２ｂ）と、開口部支持材（２ｃ）とからなる。さらに具体的には、本発明の冷却服において、開口部支持材（２ｃ）の箇所で、底面材（２ａ）は服本体（１）の素材よりも肌に近い。通常、服本体（１）の左右両側に、それぞれ１つの外気取入立体部材（２）が設けられているが、これに限られず、例えば、背中に外気取入立体部材（２）を１つのみ設けてもよい。
【００１０】
負圧吸引の目的を達成するため、上記外気取入立体部材は開口式であり、底面材（２ａ）は、外気を開口部に誘導することができ、側壁材（２ｂ）は、着用時に開口部が開いた状態を保つことができるように一定の高度を有するとともに、開口部に支持材（２ｃ）を用いて、開口部に崩れ、ひいては閉鎖の傾向が発生することを防止し、このような設計により、外気は服の内部に良好に入ることができる。
【００１１】
負圧を形成するために、外気取入立体部材の形状は、三角形、台形、略三角形または略台形とすることができる。普通の三角形または台形に比べ、略三角形または略台形の各辺は、内側に向かって弧線を形成している。外気流動の抵抗力を減少することを考慮し、略三角形または略台形が好ましく、略三角形がさらに好ましい。略三角形の弧線の頂点から普通の三角形の二辺までの垂直距離は、いずれも０〜５０ｍｍの間であり、略台形の弧線の頂点から普通の台形の２つの脚までの垂直距離も０〜５０ｍｍの間であり、略三角形、略台形の辺の長さに特に制限はなく、人体工学に基づき設計すればよい。どの形状を採用しても、幅が開口部方向に向かって徐々に広がり、開口部において最大の断面積を形成することを満たす立体部材であれば、外部と内部に大きな圧力差が生じ、比較的大きな負圧値が形成され、吸引の目的を達成する。
【００１２】
本発明者は、鋭意研究の結果、開口部の幅が広く、外気取入立体部材の長さが長いほど、吸引効果がよくなることを発見した。
【００１３】
本発明において、開口部の幅が広く、その断面積も大きいほど、吸引効果がよくなるが、開口部の幅は、片方の肩の幅よりも大きくてはならない。日本人男性の２００４年から２００６年までの身体測定資料から、２０〜４９歳の日本人男性の平均的な片方の肩の幅は約１３ｃｍであることがわかり、この片方の肩の幅の集団は、Ｍサイズの服を着用することが適しているが、市販されているＭサイズの服の片方の肩の幅は、一般に１２〜１４ｃｍの間にあり、仮にＭサイズの服に本発明の立体部材を設けた場合、開口部が肩線（５）にあれば、開口部の幅は、１２〜１４ｃｍに設計することができる。
【００１４】
本発明において、立体部材の縦方向の長さが長いほど、風を誘導する経路も長くなり、誘導の効果がよくなる。例えば、日本人男性の２００４年から２００６年までの身体測定資料から、２０〜４９歳の日本人男性の乳頭位胸囲線（４）から肩線（５）までの平均距離は約２０ｃｍであることがわかり、仮にこれらの人々が着用する服に本発明の立体部材を設けた場合、開口部が肩線（５）にあれば、その外観を考慮し、立体部材の長さは、１０〜１８ｃｍに設計することができる。
【００１５】
当業者は、異なる型番の服に対して、それに応じて立体部材開口部の幅、長さなどの数値を調整することができることを理解することができる。
【００１６】
本発明において、外気取入立体部材は、胸、肩、背中および腰などの部位に設けることができる。
【００１７】
胸和および肩前部に設ける場合、具体的な位置は、乳頭位胸囲線（４）を境に、次の２種類の場合がある。（ａ）乳頭位胸囲線（４）より下に位置する場合、直立、またはサイクリング運動時には外気が開口部に順調に入らず、服内に流れ込まず、冷却効果は普通である。（ｂ）乳頭位胸囲線（４）より上に位置する、すなわち乳頭位胸囲線（４）と肩線（５）との間に位置し、開口部が肩線（５）近傍に位置する場合、サイクリング運動時には外気が開口部に順調に入らず、服内に流れ込まず、冷却効果は普通であり、直立運動時には外気が開口部に順調に入り、服内に流れ込み、冷却効果は比較的良好である。外気取入立体部材を胸および肩前部に設ける場合、開口部を上側にして、取り入れる空気が背中に流れるようにする。
【００１８】
背中と肩後部に設ける場合、具体的な位置は、肩甲骨下角水平線（６）を境に、次の２種類の場合がある。（ａ）肩甲骨下角水平線（６）より下に位置する、すなわち肩甲骨下角水平線（６）と腰囲線（７）の間に位置し、開口部位が腰囲線（７）近傍に位置する場合、直立運動時には外気が開口部に入らず、冷却効果がなく、サイクリング運動時には外気が開口部に順調に入るが、冷却面積が比較的小さく、冷却効果は普通である。（ｂ）肩甲骨下角水平線（６）より上に位置する、すなわち肩線（５）と肩甲骨下角水平線（６）との間に位置し、開口部が肩甲骨下角水平線（６）近傍に位置する場合、直立運動時には外気が開口部に順調に入らず、服内に流れ込まず、冷却効果は普通であり、サイクリング運動時には外気が開口部に順調に入り、服内に流れ込み、冷却効果は比較的良好である。外気取入立体部材を背中および肩後部に設ける場合、開口部を下側にして、取り入れる空気が背中に流れるようにする。
【００１９】
腰に設ける場合、具体的な位置は、身体の両側の腰の間に設け、直立、またはサイクリング運動時には外気が開口部に入るが、抵抗力が比較的大きく、服内に流れ込む風の量が比較的小さく、冷却面積が比較的小さく、冷却効果は普通であり、かつ外観に影響を及ぼす。
【００２０】
上述したように、本発明の立体部材は、身体の左右両側の乳頭位胸囲線（４）と肩線（５）との間、または肩線（５）と肩甲骨下角水平線（６）との間に設けることが好ましい。身体の左右両側の乳頭位胸囲線（４）と肩線（５）との間に設ける場合、開口部は肩線（５）近傍に位置することが好ましく、直立運動状態に適している。身体の左右両側の肩線（５）と肩甲骨下角水平線（６）との間に設ける場合、開口部は肩甲骨下角水平線（６）近傍に位置することが好ましく、サイクリング運動状態に適している。
【００２１】
本発明において、立体部材における底面材（２ａ）は、設けても設けなくてもよい。底面材を設けない場合、風（外気）はヒトの肌表面から直接誘導され開口部に入り、一定の吸引効果は得られるが、側壁材とヒトの肌が分離した状態であり、吸引される空気は両者の間で拡散しやすく、大量の空気が排風面に流れ込むことができず、冷却効果に影響を及ぼし、かつ、この部位の肌が外に露出し、外観に影響を及ぼす。底面材（２ａ）の形態には特に限定はなく、織物、編物および不織布などとすることができ、通気量が比較的小さい素材を用いることが好ましい。底面材（２ａ）に通気量が比較的大きい素材を用いると、一定の吸引効果は得られるが、引き入れられる空気が底面材（２ａ）を通過して身体の風上の部位に直接拡散し、排風面に流れず、冷却効果に影響を及ぼす。
【００２２】
本発明者は、鋭意研究の結果、底面材（２ａ）の通気量は１００ｃｍ３／ｃｍ２／ｓ以下が好ましいことを発見した。ヒトの発汗時の着用の快適さを考慮し、通気量は１０〜５０ｃｍ３／ｃｍ２／ｓであることがさらに好ましい。通気量は、ＪＩＳ  Ｌ  １０９６−２０１０「織物及び編物の生地試験方法（通気性測定：Ａ法）」の規格に基づき測定した。
【００２３】
側壁材（２ｂ）は、服の内側に位置し、肌に直接接しても、織物、編物または不織布で包む、プレスする、貼り合わせるなどの処理方式により、肌に直接接しなくてもよい。側壁材（２ｂ）の服本体（１）との縫合に関しては、服本体（１）と直接一緒に縫合しても、服本体（１）と直接縫合しなくてもよく、こうした場合、側壁材（２ｂ）は、織物、編物または不織布で包む、プレスする、貼り合わせるなどの処理方式の後に服本体（１）と縫合してもよい。
【００２４】
側壁材（２ｂ）の原料、形態などについては特に限定はなく、着用時に開口部を開いた状態に保つことができればよい。例えば、ポリエステル類、ポリビニルアルコール類またはポリエーテル類などのポリマー、およびこうしたポリマーが各種酸エステルと反応して合成された高分子材料を用いてもよい。合成高分子材料のうち、ポリウレタンフォームは、比較的よい選択であり、さらに好ましいものはポリウレタンスポンジであり、スポンジは、少量の汗を吸収することができるだけでなく、硬すぎず、着用に影響を及ぼさない。
【００２５】
また、例えば、原料は、ポリエステル（ＰＥＴ）、ポリウレタン（ＰＵ）、ポリエチレン（ＰＥ）、ポリプロピレン（ＰＰ）、ポリ塩化ビニル（ＰＶＣ）、ポリスチレン（ＰＳ）、ポリアクリロニトリル（ＡＢＳ）、ポリメタクリル酸メチル（ＰＭＭＡ）、ポリオキシメチレン（ＰＯＭ）、ポリカーボネート（ＰＣ）、ポリアミド（ＰＡ）、フェノール、アミノ基などのプラスチック原材料、合成樹脂原材料またはゴム原材料を用いても、プラスチック原材料、合成樹脂原材料またはゴム原材料および各種助剤または添加剤で製造した合成高分子材料を用いてもよい。熱可塑性エラストマープラスチック材料は、さらに好ましい選択であり、保形して大量の空気を取り入れることができるだけでなく、硬すぎず、着用の快適さに影響を及ぼさない。熱可塑性エラストマーは、熱可塑性ポリウレタンエラストマー（ＴＰＵ）プラスチック材料であっても、熱可塑性ポリエステルエラストマー（ＴＰＥＥ）プラスチック材料などの材料であってもよい。
【００２６】
側壁材（２ｂ）の高さは、空気流路の必要に応じて設計する。側壁材は、連続していても、連続していなくてもよく、その高さは一定であっても変化していてもよい。開口部の最大断面積の目的を達成するため、側壁材（２ｂ）の高さは、高いほどよく、このようにして外気はより容易に開口部に入るようになる。空気流動の抵抗力を下げるため、側壁材（２ｂ）の高さは、変化するものが好ましく、例えば、０ｍｍから始まり、開口部で最大値に達する。また、外気の流入量の増加および外観を考慮し、高さの範囲は、５〜２０ｍｍとすることがさらに好ましい。上述したように、側壁材は、高さが０ｍｍから始まり開口部で最大値に達し、かつ最大値の範囲が５〜２０ｍｍである材料であることが最も好ましい。
【００２７】
支持材（２ｃ）を用いる目的は、開口部に曲げ変形が発生しないようにするためである。開口部に支持材を使用しない場合、運動中に、開口部の生地が肌に密着しやすくなり、外気の取り入れ効果に影響を及ぼす。その原料、形態などに特に限定はなく、例えば、原料は、ポリエステル（ＰＥＴ）、ポリウレタン（ＰＵ）、ポリエチレン（ＰＥ）、ポリプロピレン（ＰＰ）、ポリ塩化ビニル（ＰＶＣ）、ポリスチレン（ＰＳ）、ポリアクリロニトリル（ＡＢＳ）、ポリメタクリル酸メチル（ＰＭＭＡ）、ポリオキシメチレン（ＰＯＭ）、ポリカーボネート（ＰＣ）、ポリアミド（ＰＡ）、フェノール、アミノ基などのプラスチック原材料、合成樹脂原材料またはゴム原材料を用いても、プラスチック原材料、合成樹脂原材料またはゴム原材料および各種助剤または添加剤で製造した合成高分子材料を用いてもよい。もちろん、各種材料製の不織布を用いてもよく、例えば、形態は、織物、編物または不織布で以上の原料を包むか、または各種繊維製の帯状織物を用いてもよい。支持材（２ｃ）の服本体（１）との縫合に関しては、服本体（１）と直接一緒に縫合しても、支持材（２ｃ）を服本体（１）と直接縫合しなくてもよく、こうした場合、織物、編物または不織布で包む、プレス、貼り合わせるなどの処理方式の後に服本体（１）と縫合してもよい。
【００２８】
支持材（２ｃ）は、側壁材（２ｂ）に直接設け、開口部頂端に位置しても、開口部に支持リングを形成し、引き入れた空気をリング内から服内に直接入れてもよい。熱可塑性エラストマープラスチック材料で帯状織物を作製し開口部に楕円形支持リングを形成することが比較的よい選択であり、その幅は限定されないが、幅が広すぎると暑苦しくなりやすく、重量が増し、狭すぎても開口立体効果が悪くなり、通気性が小さくなるため、その幅は、１０〜５０ｍｍの間が最もよい。また、厚さも限定されないが、厚さが厚すぎると重量が増し、薄すぎても開口立体効果に影響を及ぼし、通気性が小さくなるため、厚さは０．２〜２．５ｍｍの間が最もよい。この材料は、無毒無害で、環境に配慮しており、支持効果がよく、ヒトの肌を損なうことがない。熱可塑性エラストマーは、熱可塑性ポリウレタンエラストマー（ＴＰＵ）プラスチック材料であっても、熱可塑性ポリエステルエラストマー（ＴＰＥＥ）プラスチック材料などの材料であってもよい。
【００２９】
本発明者は、鋭意研究の結果、支持材（２ｃ）の剛軟度は５．０ｍＮ以上で開口部に曲げ変形が発生しにくくなることを発見した。曲げ変形が発生しない状態を長時間保持するために、支持材（２ｃ）の剛軟度は、１０．０ｍＮ以上が好ましく、１０．０〜１００．０ｍＮがさらに好ましく、この剛軟度範囲は、支持材（２ｃ）が楕円形支持リングを形成するのに適している。剛軟度は、ＪＩＳ  Ｌ  １０９６−２０１０「織物及び編物の生地試験方法８．２．２．１Ａ法剛軟度（ガーレ法）」の規格に基づき測定した。
【００３０】
着用時に開口部を常に開いた状態に保つ側壁材（２ｂ）および開口部支持材（２ｃ）は、異なる材料であっても、同じ材料であってよく、一体成形であっても、別々であってもよい。
【００３１】
本発明は、服本体（１）に対して特に制限がなく、市販されているスポーツＴシャツ、ワイシャツ、ジャケットまたはコートなどの衣類とすることができ、スポーツＴシャツは、サッカーウェア、バスケットボールウェア、テニスウェア、ウォーキングウェア、ジョギングウェア、ランニングウェア（マラソンウェアを含む）、サイクルウェア、バイクウェアなどの各種スポーツウェアとすることができる。ウォーキングウェアは、歩行速度が０．８ｍ／ｓ未満のときの着用に適しており、ジョギングウェアは、ランニング速度が０．８〜１．６ｍ／ｓのときの着用に適しており、ランニングウェア（マラソンウェアを含む）は、ランニング速度が１．６ｍ／ｓ以上のときの着用に適している。
【００３２】
身体の冷却効果をよりよくするために、本発明は、ランニング用Ｔシャツまたはサイクリング用Ｔシャツが好ましい。Ｔシャツの繊維原料は、綿、テリレンまたはスポーツウェアの製造に適したその他の素材とすることができる。
【００３３】
外気流入量を増加し、衣類内で順調に流動し排出できるようにするために、本発明の冷却服をウォーキングウェア、ジョギングウェア、ランニングウェア（マラソンウェアを含む）とする場合、側壁材（２ｂ）は、乳頭位胸囲線（４）から肩線（５）を経て背中の任意の位置まで延在することができる。
【００３４】
側壁材（２ｂ）が、乳頭位胸囲線（４）から肩線（５）を経て腰囲線（７）、または臀囲線（８）の箇所まで延在する場合、空気の背中における流路は順調で、身体を冷却する効果は比較的良好であるが、側壁材（２ｂ）の用量は多く、コストが増加する。側壁材（２ｂ）が、乳頭位胸囲線（４）から肩線（５）を経て肩甲骨下角水平線（６）の箇所まで延在する場合、側壁材（２ｂ）の用量が少なく、コストは低く、かつヒトが直立運動するときに服とヒトの背中が肩甲骨下角水平線（６）から下に向けて密着せず、一定の空間を残し、側壁材を使用して支持しなくても、空気は順調に流動可能である。良好な支持効果を達成するために、側壁材（２ｂ）は、肩甲骨上で延在する必要があるとともに、さらに大きな空気量の要求を達成するために、両肩甲骨のそれぞれの外縁に沿って延在し、肩甲骨下角水平線（６）の箇所で最大幅を形成することが最もよい。そうしなければ、側壁材は、肩甲骨上で服本体を支えて身体から離すことがなくなり、風の流出効果が低下する。衣類の左右両側にそれぞれ設けられた立体部材が各々有する延在する側壁材（２ｂ）において、身体の中央線にさらに近い２本の側壁材（２ｂ）は、一つにつないでも（例えば、図１における破線で示すとおり）、一つにつながなくてもよい。
【００３５】
上述したように、側壁材（２ｂ）は、乳頭位胸囲線（４）から肩線（５）を経て肩甲骨下角水平線（６）まで延在することが好ましく、肩甲骨両側の縁に沿って延在し、肩甲骨下角水平線（６）の箇所で最大幅を形成することがさらに好ましい。例えば、日本人男性の２００４年から２００６年までの身体測定資料から、２０〜４９歳の日本人男性の肩甲骨下角の平均間隔は約１９ｃｍであることがわかり、その場合、肩甲骨下角水平線（６）の箇所の最大幅を１９ｃｍに設計することができる。説明が必要なことは、上記最大幅の数値の設定は、この平均数値を有する成年男性に対応するＭサイズの衣類に基づいているが、当業者は、異なる型番の服に対して、それに応じて前記最大幅を調整することが可能なことを理解することができる。上記原則は、下文における類似の状況に適用することもできる。
【００３６】
本発明の冷却服をサイクルウェア、バイクウェアとする場合、側壁材（２ｂ）は、肩線（５）から背中の任意の位置まで延在することができる。
【００３７】
側壁材（２ｂ）が肩線（５）から肩甲骨下角水平線（６）の箇所までしか延在しない場合、側壁材は、服本体を支えることができ、空気の流通に便利であり、かつ側壁材（２ｂ）の用量は少なく、コストは低いが、肩甲骨下角水平線（６）から下に向けて側壁材（２ｂ）の支持がなく、ヒトが背中を曲げて運動をする場合、肩甲骨下角水平線（６）から下に向かう位置において、服がヒトの背中全体に密着し、空気の流動が順調でなくなる可能性がある。側壁材（２ｂ）が肩線（５）から腰囲線（７）の箇所までしか延在しない場合、空気は肩線（５）から腰囲線（７）の箇所まで順調に流動することができるが、タイトフィットのサイクリングウェアの裾がきつい状態になり、基本的に臀囲線（８）の箇所に位置し、空気が臀囲線（８）の箇所から順調に流れ出ることができなくなるため、側壁材（２ｂ）が肩線（５）から臀囲線（８）の箇所まで延在し、空気が順調に流動し、臀囲線（８）の箇所から流れ出るようにすることが好ましい。側壁材（２ｂ）が肩甲骨下角水平線（６）の箇所から臀囲線（８）の箇所まで延在する場合、臀部（臀囲線の箇所）に最大幅を形成することが最もよいとともに、腰（腰囲線の箇所）の幅は、肩甲骨下角水平線（６）の箇所に形成される幅よりも小さいことが最もよく、この腰の幅も小さすぎることは好ましくなく、肩甲骨下角水平線（６）の箇所に形成される幅の１／３以上であることが最もよい。そうしなければ、側壁材は、肩甲骨上で服本体を支えて身体から離すことがなくなり、風の流出効果が低下する。衣類の左右両側にそれぞれ設けられた立体部材が各々有する延在する側壁材（２ｂ）において、身体の中央線にさらに近い２本の側壁材（２ｂ）は、一つにつないでも（例えば、図２における破線で示すとおり）、一つにつながなくてもよい。
【００３８】
上述したように、側壁材（２ｂ）は、肩線（５）から臀囲線（８）の箇所まで延在することが好ましい。具体的には、側壁材（２ｂ）は、肩線（５）から肩甲骨下角水平線（６）の箇所まで延在し、次いで肩甲骨下角水平線（６）の箇所から臀囲線（８）の箇所まで延在する。肩線（５）から始まって延在する場合、肩甲骨両側の縁に沿って延在し、肩甲骨下角水平線（６）の箇所で最大幅を形成することが最もよい。臀囲線（８）の箇所まで延在する場合、臀部（臀囲線の箇所）において最大幅を形成することが最もよいとともに、腰（腰囲線の箇所）の幅は、肩甲骨下角水平線（６）の箇所に形成される幅以下であることが最もよく、腰の幅も小さすぎることは好ましくなく、肩甲骨下角水平線（６）の箇所に形成される幅の１／３以上であることが最もよい。例えば、日本人男性の２００４年から２００６年までの身体測定資料から、２０〜４９歳の日本人男性の肩甲骨下角の平均間隔は約１９ｃｍ、臀囲の半分の平均値は４６ｃｍ、腰囲の半分の平均値は３９ｃｍであることがわかり、その場合、肩甲骨下角水平線（６）の箇所の最大幅を１９ｃｍ、臀部（臀囲線の箇所）の最大幅を４６ｃｍ、腰（腰囲線の箇所）の最大幅を６〜１９ｃｍに設計することができる。
【実施例】
【００３９】
本発明に関する物性などのパラメータの測定方法は次のとおりである。
（１）通気量
ＪＩＳ  Ｌ  １０９６−２０１０「織物及び編物の生地試験方法（通気性測定：Ａ法）」の規格に基づき測定した。
（２）剛軟度
ＪＩＳ  Ｌ  １０９６−２０１０「織物及び編物の生地試験方法８．２．２．１Ａ法剛軟度（ガーレ法）」の規格に基づき測定した。
（３）被験者の背中の温度および出口風量
ａ．実験試料
実施例および比較例で製造したＴシャツ。
ｂ．測定環境
人工気象室においてランニング、サイクリング運動をシミュレーションし、着用実験を行った。環境温度は、２５．０±０．５℃、湿度は６５．０±５％とした。ランニング時には、風速２±０．５ｍ／ｓとし、ランニング運動ではランニングマシンを使用し、速度は１．６ｍ／ｓに設定した。サイクリング時には、風速４±０．５ｍ／ｓとし、サイクリング運動ではフィットネスバイクを使用し、出力は８０Ｗに設定した。
ｃ．測定方法
[1]Ｗｄｓｅｎ  Ｅｌｅｃｔｒｏｎｉｃ  Ｔｅｃｈｎｏｌｏｇｙ  Ｃｏ．，  ＬｔｄのＩＢＵＴＴＯＮ  ＤＳ１９２３−Ｆ５ボタン式温湿度記録計を用いて被験者が２０分間運動した後の背中（肩甲骨下角の箇所）の肌と服との間の温度を測定した。温度が低いほど、身体冷却効果がよいことを示す。
【００４０】
[2]Ｖ−０１−ＡＮＤ２Ｎ電子風速計（ハンディタイプ風速計、株式会社アイ電子技研）を用いてランニング運動被験者の背中（肩甲骨下角水平線の箇所）の出口風量を測定した。同じ風速計を用いてサイクリング運動被験者の臀部（臀囲線の箇所）の出口風量を測定した。風量が大きいほど、身体通風効果がよく、その身体冷却効果がよいことを示す。被験者は、通常、市販のＭサイズの衣類を着用している成年男性である。
（４）被験者の涼しさ、快適さおよび衣類の外観
感覚器官の評価を採用し、５段階法を用いた。
【００４１】
【表０】
2017528615.tif 000003
【００４２】
次に、実施例および比較例を合わせて本発明についてさらに詳細に説明する。
【００４３】
外気取入部材における底面材の材質には特に制限がなく、ニット生地、側壁材および支持材を選定して、実施例および比較例において具体的に設定した。
実施例１
ランニング用Ｔシャツ（サイズは市販のＭサイズに相当する）を服本体（１）として選定し、服本体（１）の身体の左右両側の乳頭位胸囲線（４）と肩線（５）との間に、外気取入立体部材（２）をそれぞれ設けた。立体部材（２）の形状は略三角形とし、底面材（２ａ）と、着用時に開口部を開いた状態に保つ側壁材（２ｂ）と、開口部の支持材（２ｃ）とからなり、開口部は、肩線（５）近傍に位置し、側壁材（２ｂ）は、乳頭位胸囲線（４）から肩線（５）を経て肩甲骨下角水平線（６）の箇所まで延在し、側壁材（２ｂ）が肩線（５）から肩甲骨下角水平線（６）の箇所まで延在する場合、肩甲骨両側の縁に沿って延在し、肩甲骨下角水平線（６）の箇所で形成される幅は１９ｃｍとした。
【００４４】
底面材（２ａ）の通気量は１００ｃｍ３／ｃｍ２／ｓとし、支持材（２ｃ）は熱可塑性ポリウレタンエラストマー（ＴＰＵ）プラスチック材料を１０ｍｍ幅にし、開口部で楕円形支持リングを形成し、その長軸の長さは開口部の幅であり、長さは１２ｃｍとし、剛軟度は１００．０ｍＮとした。側壁材（２ｂ）は、ポリウレタンスポンジとし、高さは、０ｍｍから始まり、開口部で５ｍｍに達するようにした。立体部材（２）の長さは１５ｃｍとし、略三角形の弧線の頂点から普通の三角形の二辺までの垂直距離は２０ｍｍとした。略三角形の底辺長は開口部の幅であり、頂点から底辺までの垂直距離は立体部材（２）の長さである。
【００４５】
本発明の冷却服を製造した。評価結果は表１を参照。
実施例２
底面材（２ａ）の通気量は５０ｃｍ３／ｃｍ２／ｓとし、その他は実施例１と同じとし、本発明の冷却服を得た。評価結果は表１を参照。
実施例３
側壁材（２ｂ）の高さは、０ｍｍから始まり、開口部で２０ｍｍに達するようにし、その他は実施例２と同じとし、本発明の冷却服を得た。評価結果は表１を参照。
実施例４
底面材（２ａ）の通気量は１０ｃｍ３／ｃｍ２／ｓとし、その他は実施例３と同じとし、本発明の冷却服を得た。評価結果は表１を参照。
実施例５
支持材の剛軟度は１０．０ｍＮとし、その他は実施例４と同じとし、本発明の冷却服を得た。評価結果は表１を参照。
実施例６
底面材（２ａ）の通気量は０ｃｍ３／ｃｍ２／ｓとし、その他は実施例５と同じとし、本発明の冷却服を得た。評価結果は表１を参照。
実施例７
支持材の剛軟度は５．０ｍＮとし、その他は実施例５と同じとし、本発明の冷却服を得た。評価結果は表１を参照。
実施例８
側壁材（２ｂ）の高さはそのままに保ち、２０ｍｍとし、その他は実施例４と同じとし、本発明の冷却服を得た。評価結果は表１を参照。
実施例９
側壁材（２ｂ）はポリエステル合成樹脂とし、その他は実施例４と同じとし、本発明の冷却服を得た。評価結果は表１を参照。
実施例１０
支持材（２ｃ）はＰＶＣ合成樹脂材料とし、その他は実施例４と同じとし、本発明の冷却服を得た。評価結果は表１を参照。
実施例１１
立体部材（２）の形状は略台形とし、略台形の弧線の頂点から普通の台形の２つの脚までの垂直距離は２０ｍｍとし、略台形の下底は１２ｃｍとし、すなわち開口部の幅であり、上底は４ｃｍとし、上底から下底までの垂直距離は１５ｃｍとし、すなわち立体部材（２）の長さであり、その他は実施例４と同じとし、本発明の冷却服を得た。評価結果は表１を参照。
実施例１２
立体部材（２）の長さは１０ｃｍとし、その他は実施例４と同じとし、本発明の冷却服を得た、評価結果は表１を参照。
実施例１３
開口部の幅は６ｃｍとし、その他は実施例４と同じとし、本発明の冷却服を得た、評価結果は表１を参照。
実施例１４
側壁材（２ｂ）の高さは、０ｍｍから始まり、開口部で３ｍｍに達するようにし、その他は実施例１と同じとし、１着のランニングＴシャツを得た。評価結果は表１を参照。
実施例１５
側壁材（２ｂ）の高さは、０ｍｍから始まり、開口部で３０ｍｍに達するようにし、その他は実施例７と同じとし、１着のランニングＴシャツを得た。評価結果は表１を参照。
実施例１６
底面材（２ａ）の通気量は１５０ｃｍ３／ｃｍ２／ｓとし、その他は実施例１と同じとし、１着のランニングＴシャツを得た。評価結果は表１を参照。
実施例１７
支持材の剛軟度は２００．０ｍＮとし、その他は実施例１と同じとし、１着のランニングＴシャツを得た。評価結果は表１を参照。
実施例１８
支持材の剛軟度は１．０ｍＮとし、その他は実施例７と同じとし、１着のランニングＴシャツを得た。評価結果は表１を参照。
実施例１９
側壁材（２ｂ）、支持材（２ｃ）は一体成形構造であり、材料は、熱可塑性ポリウレタンエラストマー（ＴＰＵ）プラスチック材料とし、その他は実施例５と同じとし、本発明の冷却服を得た。評価結果は表１を参照。
実施例２０
側壁材（２ｂ）、支持材（２ｃ）は一体成形構造であり、材料は、熱可塑性ポリエステルエラストマー（ＴＰＥＥ）プラスチック材料とし、その他は実施例５と同じとし、本発明の冷却服を得た。評価結果は表１を参照。
実施例２１
サイクリング用Ｔシャツ（サイズは市販のＭサイズに相当する）を服本体（１）として選定し、服本体（１）の身体の左右両側の肩線（５）と肩甲骨下角水平線（６）との間に、外気取入立体部材（２）をそれぞれ設けた。立体部材（２）の形状は略三角形とし、底面材（２ａ）と、着用時に開口部を開いた状態に保つ側壁材（２ｂ）と、開口部の支持材（２ｃ）とからなり、開口部は、肩甲骨下角水平線（６）近傍に位置し、側壁材（２ｂ）は、肩線（５）から臀囲線（８）の箇所まで延在し、側壁材（２ｂ）が肩線（５）から肩甲骨下角水平線（６）の箇所まで延在する場合、肩甲骨両側の縁に沿って延在し、肩甲骨下角水平線（６）の箇所で形成される幅は１９ｃｍとした。肩甲骨下角水平線（６）から腰囲線（７）の箇所まで延在する場合、腰（腰囲線の箇所）で形成される幅は１０ｃｍとした。腰囲線（７）から臀囲線（８）の箇所まで延在する場合、臀部（臀囲線の箇所）で形成される幅は４６ｃｍとした。
【００４６】
その他は実施例１と同じとした。本発明の冷却服を製造した。評価結果は表２を参照。
実施例２２
底面材（２ａ）の通気量は５０ｃｍ３／ｃｍ２／ｓとし、その他は実施例１９と同じとし、本発明の冷却服を得た。評価結果は表２を参照。
実施例２３
側壁材（２ｂ）の高さは、０ｍｍから始まり、開口部で１５ｍｍに達するようにし、その他は実施例２０と同じとし、本発明の冷却服を得た。評価結果は表２を参照。
実施例２４
底面材（２ａ）の通気量は１０ｃｍ３／ｃｍ２／ｓとし、その他は実施例２１と同じとし、本発明の冷却服を得た。評価結果は表２を参照。
実施例２５
支持材の剛軟度は１０．０ｍＮとし、その他は実施例２２と同じとし、本発明の冷却服を得た。評価結果は表２を参照。
実施例２６
底面材（２ａ）の通気量は０ｃｍ３／ｃｍ２／ｓとし、その他は実施例２３と同じとし、本発明の冷却服を得た。評価結果は表２を参照。
実施例２７
支持材の剛軟度は５．０ｍＮとし、その他は実施例２３と同じとし、本発明の冷却服を得た。評価結果は表２を参照。
実施例２８
側壁材（２ｂ）の高さはそのままに保ち、１５ｍｍとし、その他は実施例２２と同じとし、本発明の冷却服を得た。評価結果は表２を参照。
実施例２９
側壁材（２ｂ）はポリエステル合成樹脂とし、その他は実施例２２と同じとし、本発明の冷却服を得た。評価結果は表２を参照。
実施例３０
支持材（２ｃ）はＰＶＣ合成樹脂材料とし、その他は実施例２２と同じとし、本発明の冷却服を得た。評価結果は表２を参照。
実施例３１
立体部材（２）の形状は略台形とし、略台形の弧線の頂点から普通の台形の２つの脚までの垂直距離は２０ｍｍとし、略台形の下底は１２ｃｍとし、すなわち開口部の幅であり、上底は４ｃｍとし、上底から下底までの垂直距離は１５ｃｍとし、すなわち立体部材（２）の長さであり、その他は実施例１７と同じとし、本発明の冷却服を得た。評価結果は表２を参照。
実施例３２
肩甲骨下角水平線（６）が腰囲線（７）の箇所まで延在する場合、腰（腰囲線の箇所）に形成される幅を１ｃｍとし、その他は実施例２２と同じとし、本発明の冷却服を得た。評価結果は表２を参照。
実施例３３
肩甲骨下角水平線（６）が腰囲線（７）の箇所まで延在する場合、腰（腰囲線の箇所）に形成される幅を１９ｃｍとし、その他は実施例２２と同じとし、本発明の冷却服を得た。評価結果は表２を参照。
実施例３４
肩甲骨下角水平線（６）が腰囲線（７）の箇所まで延在する場合、腰（腰囲線の箇所）に形成される幅を３９ｃｍとし、その他は実施例２２と同じとし、本発明の冷却服を得た。評価結果は表２を参照。
実施例３５
腰囲線（７）が臀囲線（８）の箇所まで延在する場合、臀部（臀囲線の箇所）に形成される幅を３７ｃｍとし、その他は実施例２２と同じとし、本発明の冷却服を得た。評価結果は表２を参照。
実施例３６
側壁材（２ｂ）の高さは、０ｍｍから始まり、開口部で３ｍｍに達するようにし、その他は実施例１９と同じとし、１着のサイクリングＴシャツを得た。評価結果は表２を参照。
実施例３７
側壁材（２ｂ）の高さは、０ｍｍから始まり、開口部で３０ｍｍに達するようにし、その他は実施例２５と同じとし、１着のサイクリングＴシャツを得た。評価結果は表２を参照。
実施例３８
底面材（２ａ）の通気量は１５０ｃｍ３／ｃｍ２／ｓとし、その他は実施例１９と同じとし、１着のサイクリングＴシャツを得た。評価結果は表２を参照。
実施例３９
支持材の剛軟度は２００．０ｍＮとし、その他は実施例１９と同じとし、１着のサイクリングＴシャツを得た。評価結果は表２を参照。
実施例４０
支持材の剛軟度は１．０ｍＮとし、その他は実施例２５と同じとし、１着のサイクリングＴシャツを得た。評価結果は表２を参照。
実施例４１
側壁材（２ｂ）、支持材（２ｃ）は一体成形構造であり、材料は、熱可塑性ポリウレタンエラストマー（ＴＰＵ）プラスチック材料とし、その他は実施例２４と同じとし、本発明の冷却服を得た。評価結果は表２を参照。
実施例４２
側壁材（２ｂ）、支持材（２ｃ）は一体成形構造であり、材料は、熱可塑性ポリエステルエラストマー（ＴＰＥＥ）プラスチック材料とし、その他は実施例２４と同じとし、本発明の冷却服を得た。評価結果は表２を参照。
実施例４３
側壁材（２ｂ）、支持材（２ｃ）は一体成形構造であり、材料は、熱可塑性ポリエステルエラストマー（ＴＰＥＥ）プラスチック材料とし、その他は実施例２４と同じとし、本発明の冷却服を得た。評価結果は表２を参照。
比較例１
底面材（２ａ）を設けず、その他は実施例１と同じとし、１着のランニングＴシャツを得た。評価結果は表１を参照。
比較例２
側壁材（２ｂ）を設けず、その他は実施例１と同じとし、１着のランニングＴシャツを得た。評価結果は表１を参照。
比較例３
支持材（２ｃ）を設けず、その他は実施例１と同じとし、１着のランニングＴシャツを得た。評価結果は表１を参照。
比較例４
外気取入立体部材（２）を設けない同じデザインのランニング用Ｔシャツで、評価結果は表１を参照。
比較例５
底面材（２ａ）を設けず、その他は実施例１９と同じとし、１着のサイクリング用Ｔシャツを得た。評価結果は表２を参照。
比較例６
側壁材（２ｂ）を設けず、その他は実施例１９と同じとし、１着のサイクリング用Ｔシャツを得た。評価結果は表２を参照。
比較例７
支持材（２ｃ）を設けず、その他は実施例１９と同じとし、１着のサイクリング用Ｔシャツを得た。評価結果は表２を参照。
比較例８
外気取入立体部材（２）を設けない同じデザインのサイクリング用Ｔシャツで、評価結果は表１を参照。
【００４７】
【表１】
2017528615.tif 000004
【００４８】
【表２】
2017528615.tif 000005
【００４９】
総合評価とは、肌と服との間の空気の温度、背中の涼しさ、出口風量、部材の快適さ、外観などの効果を総合的に考慮して行った結論をいう。
【００５０】
上記試験結果から、Ｔシャツに外気取入立体部材を設けると、肌と服との間の空気の温度を下げ、背中の涼しさを増加することができ、ヒトの体で生じる熱を有効に排出し、身体を冷却できることがわかる。この基礎の上で、略三角形の部材形状、ポリウレタンスポンジ側壁材、熱可塑性ポリウレタンエラストマー（ＴＰＵ）プラスチック支持材または熱可塑性ポリウレタンエラストマー（ＴＰＵ）プラスチックからなる側壁と支持の一体成形体材料、または熱可塑性ポリエステルエラストマー（ＴＰＥＥ）プラスチックからなる側壁と支持の一体成形体材料を選定した総合評価の効果が比較的良好であった。また、底面材の通気量を１０〜５０ｃｍ３／ｃｍ２／ｓ、側壁材の高さを５〜２０ｍｍ、支持材の剛軟度を１０．０〜１００．０ｍＮとした総合評価の効果がさらに良好であり、かつ、側壁材の高さを０ｍｍから始まり徐々に増加させると、効果はさらに良好であった。同等の条件の下で、底面材を設けない、側壁材を設けない、支持材を設けない、または立体部材を設けない効果は比較的悪かった。
【００５１】
外気取入立体部材の流路の寸法設計については、上記試験結果から、人体工学に適合する場合、部材の長さが長く、開口部の幅が広いほど、身体を冷却する効果がよくなり、側壁材の臀部（臀囲線の箇所）における幅が大きいほど、身体を冷却する効果がよくなり、側壁材の腰（腰囲線の箇所）における幅が肩甲骨下角水平線（６）の箇所で形成される幅よりも小さいと、身体を冷却する効果は相対的によいが、このときの腰の幅が小さすぎることも好ましくなく、幅を１ｃｍとしたときに、身体を冷却する効果が相対的に悪いことがわかった。
【００５２】
本発明は、特定の実施例に基づき記述したものであるが、当業者は、本発明の範囲を逸脱しない場合、各種の変更および同等の入れ替えを行うことができることを理解する。また、本発明の技術の特定の場合または材料に応じるため、その保護範囲を逸脱しないで、本発明に対して多くの修正を行うことができる。そのため、本発明は、ここに開示された特定の実施例に限られるものではなく、請求項の保護範囲に入るすべての実施例を含むものである。
【図１】
2017528615.tif 000006
【図２】
2017528615.tif 000007
【図３】
2017528615.tif 000008
【図４】
2017528615.tif 000009
【図５】
2017528615.tif 000010
【図６】
2017528615.tif 000011
【図７】
2017528615.tif 000012
【図８】
2017528615.tif 000013
【国際調査報告】
2017528615.tif 000014
2017528615.tif 000015
2017528615.tif 000016
2017528615.tif 000017